(57)【要約】      （修正有）【課題】両手を自由に使えるヘアドライヤを提供する。【解決手段】雲台取り付け用のメスネジをドライヤに装着し、カメラ用雲台付三脚をセットにする。【選択図】図１
0003175751.tif 000002
【実用新案登録請求の範囲】
【請求項１】
ヘアドライヤに雲台取り付け用のメスネジを装着したヘアドライヤ。
【請求項２】
メスネジ付ドライヤと改良した三脚雲台とをセットにした三脚雲台付ドライヤ。
【考案の詳細な説明】
【技術分野】
【０００１】  本考案は、ヘアドライヤの柄のネジの通し穴にメスネジを刻み、カメラ用三脚の雲台の締めボルトで直接固定して、狭い場所でもヘアドライヤを希望空間に固定してそれを手先で操作できるようにした装置に関するものである。  他種のドライヤにも応用出来る。
【背景技術】
【０００２】  ヘアドライヤを使用する場合、それを片手に持つと腕力が必要でしかも残る片手で出来る作業は限定されて大変不便で、良い結果が得られなかった。【０００３】  特許分類Ａ４５Ｄ  ２０／１４  に属する可搬式スタンド型乾燥器などがあるが、特殊なアタッチメント付や業務用が主で、三脚と雲台とヘアドライヤとをネジ一本で結んでその長所を利用した使い易い家庭用製品がない。類似の特許・実用新案の登録も０件である。
【考案の概要】
【考案が解決しようとする課題】
【０００４】  ヘアドライヤを希望空間に固定して風の当たる場所を手先で操作出来ると、風を送りながら両手を自由に使え疲労も少ない。  洗髪後の乾燥に限らず、育児、子育て、料理、腕の不自由な方、高齢者や介護の方々が使用出来、更にペットの世話、出張サービスなど多くの手仕事の分野で好結果が得られる事は明白である。  一般家庭や出張サービスなどで使用出来る安価で使い易い、狭い場所でも設置出来る第３の手を作り課題を解決する。
【課題を解決するための手段】
【０００５】  本考案は、ヘアドライヤの柄１の重心に近いビスを通す穴にメスネジの溝を作り、このメスネジと雲台のオスネジとを図１の如く締め付けボルト５で固定する。  このメスネジの代わりに、カメラのネジ穴の部品、又は円筒にメスネジを刻んだ金属部品を柄に埋め込むと、結合部がより強固になる。  図１の如く、ドライヤの柄１と雲台２と三脚３とをネジで直接一体化すれば、それぞれの機能を生かして手元で使える。    即ち、ヘアドライヤを水平方向（図１）か垂直方向（図２）に決めて、高さをエレベータ６で固定し、柄１か固定棒４を手先で操作するだけで、自由な場所に温風を当てその方向で止める事が出来る。このメスネジは特殊で市販のＩＳＯタップでは一致しないから注意が必要である。【０００６】  更に、三脚３は色をブルーかピンクなどに、支柱をエレベータ６付１段か２段で細身に、洗面台、洗濯機、脱衣場、調理場のテーブルなど異なる場所で安定するように脚先をキャップにして交換出来るようにする。  固定ボルト５は７ミリ程度に長くする。  雲台の台板２を本体が台の角に当たらないように丸くして、垂直に立てた時には支柱に当たらないようにする。  これらの諸点を改良した三脚雲台とヘアドライヤとをセットにして「ヘアドライヤは三脚雲台付で」のキャッチフレーズで高級品として提供する。
【考案の効果】
【０００７】  空間の希望場所から温風を当てながら、例えば、洗髪後の長髪を両手で拭きながら、湿気のある中にブラシングしながら温風に当てると、毛髪は一本一本に分かれて頭皮と共にさらっと乾き、毛根や皮膚が優しく刺激され、毛髪の特性から美しいふさふさした髪となり、その爽快感は片手で持つ時には味わえない。  従来の洗髪の苦労が消え楽しくなる。熱風による火傷を防ぎ、腕の疲労もなく高齢者や子供にも適し、所要時間も減少する。【０００８】  長毛の犬では乾燥が大変で、温風を当てながら、体をひっくり返して体を持ちながら腹部を拭いてブラッシングするなど片手では出来ない作業が可能になる。  毛髪の特性から湿気のある中にブラッシングして乾かすから毛並もふさふさと美しくなる。  特に、出張サービスでは業務用スタンド付が使用出来ないから、持ち運び可能な本製品が役立つ。【０００９】  育児では温風を当てながら両手を使用すると、従来は冬季に湯上がりの幼児を冷たい脱衣場に寝かせて両手で拭きながら、オリーブ油をぬりながら、パウダで拭きながら、おむつをして、と多くの作業で風邪を引く心配をするが、これらの育児の負担も軽減される。【００１０】  料理では炊き上がったご飯をドライヤの冷風で冷やしながら、かき混ぜながら酢を打つ、握り飯を握るなど、熱い物を急速に冷やしながら調理すると、美味しいα澱粉が不味いβ澱粉に変わらないから美味しい料理が出来る。  家庭料理に新風が起きる可能性がある。
【図面の簡単な説明】
【００１１】
【図１】使いやすい全体の配置を示す図である。
【図２】ドライヤを垂直にして、雲台との関係を示す図である。
【考案を実施するための形態】
【００１２】  ヘアドライヤでビス穴部が雲台と密接する旧型を使用して普及型に改良する。  ヘアドライヤの柄には柄１の左右を止めるビスを通す穴が２か所ある。  このなかで重心に近い穴の樹脂支柱にカメラ用メスネジの溝を刻む。  市販のＩＳＯタップでは一致しないから一般家庭で溝を刻むことが出来ない。  雲台付の効果を周知させるため、家庭の三脚に簡単に取り付けられるようにメスネジを刻んだ単品を安価な普及品として提供する。
【００１３】  市販の三脚をそのまま使用すると不都合な点が多い。  ［０００６］のように三脚と雲台とを改良した物とドライヤとをセットにして、「ヘアドライヤは三脚雲台付で」のキャチフレーズが通用するオシャレな高級品を提供する工夫が必要である。
【実施例】
【００１４】  以下、添付図面に従って一実施例を説明する。  図１はパナ・  ＥＨ５１０１を改良した使用時の配置図である。  このドライヤは、ネジ穴の位置が重心に近く、ネジが小さいからこのネジは生かし、この穴を利用してここにメスネジの溝を刻んで雲台に固定した。使用方法は、三脚付ヘアドライヤを洗面台か洗濯機の上にセットして、ドライヤの温風を当てる位置に向けて、おおよその高さをエレベータの締めネジ７で固定し、左右方向は締めネジ８で、上下方向は締めネジ９で緩く止める。  自然に動かない程度に締めると、柄１や固定棒４で風の方向を手先で自由に変えその位置で止める事が出来る。  固定棒４は左回しで緩め風の当たる位置を決めて右回しで固定する。  使用時は柄１だけで温風の当たる位置を変え、止めることが出来る。  洗髪後の乾燥では、必要な位置に温風を当てながら自分の頭を下げて、拭いたりブラシングしたりで頭皮共にさらっと乾き、従来の不快感が無くてむしろ爽快な楽しい気分になる。  出来上がりも想定外で洗髪が楽しくなる。
【符号の説明】
【００１５】  １  ヘアドライヤの柄
２  雲台
３  三脚
４  位置固定用棒
５  ドライヤ固定ボルト
６  エレベータ支柱
７  エレベータ用締めネジ
８  左右方向用締めネジ
９  上下方向用締めネジ
１０  電源切換スイッチ
【図１】
0003175751.tif 000003
【図２】
0003175751.tif 000004
【手続補正書】
【提出日】平成24年1月16日(2012.1.16)
【手続補正１】
【補正対象書類名】実用新案登録請求の範囲
【補正対象項目名】全文
【補正方法】変更
【補正の内容】
【実用新案登録請求の範囲】
【請求項１】
・ヘアドライヤに雲台取り付け用のメスネジを装着したヘアドライヤ。
・雲台取り付け用のメスネジを装着したヘアドライヤ。
【請求項２】
・メスネジ付ドライヤと改良した三脚雲台とをセットにした三脚雲台付ドライヤ
・雲台の台板を小さくして固定ボルトを７ミリに長くして、三脚の支柱を細くして２段に改良した三脚雲台をセットにした、請求項１に記載のヘアドライヤ。
【手続補正書】
【提出日】平成24年3月5日(2012.3.5)
【手続補正１】
【補正対象書類名】実用新案登録請求の範囲
【補正対象項目名】全文
【補正方法】変更
【補正の内容】
【実用新案登録請求の範囲】
【請求項１】
雲台取り付け用のメスネジを装着したヘアドライヤ。
【請求項２】
雲台の台板の幅約３０ミリメートル、ドライヤ固定ボルトの長さ約７ミリメートルの仕様のカメラ用雲台付三脚をセットにした、請求項１に記載のヘアドライヤ。